(57)【要約】  少なくとも、給電用のソケットに対して着脱可能な口金部２，及び発光源となる一又は二以上のＬＥＤ３…を備えるＬＥＤランプ１を構成するに際し、一方の面４ｆに一又は二以上のＬＥＤ３…を実装したＬＥＤ基板部４と、このＬＥＤ基板部４の一方の面４ｆの前方に配したレンズ部５と、伝熱素材により構成するとともに、ＬＥＤ基板部４の他方の面４ｒに面接触し、かつレンズ部５の周りを覆う放熱機構Ｍｒを有するハウジング部６と、一次側を口金部２に接続し、かつ二次側をＬＥＤ基板部４に接続する電子回路ユニット７とを具備する。
2011158277.tif 000002
【特許請求の範囲】
【請求項１】
少なくとも、給電用のソケットに対して着脱可能な口金部，及び発光源となる一又は二以上のＬＥＤを備えるＬＥＤランプにおいて、一方の面に一又は二以上のＬＥＤを実装したＬＥＤ基板部と、このＬＥＤ基板部の一方の面の前方に配したレンズ部と、伝熱素材により構成するとともに、前記ＬＥＤ基板部の他方の面に面接触し、かつ前記レンズ部の周りを覆う放熱機構を有するハウジング部と、一次側を前記口金部に接続し、かつ二次側を前記ＬＥＤ基板部に接続する電子回路ユニットとを具備してなることを特徴とするＬＥＤランプ。
【請求項２】
前記ハウジング部は、前記レンズ部の周面を覆う放熱筒部，及びこの放熱筒部の一端から延設し、かつ端部に前記口金部の取付部を有する収容筒部を一体形成したハウジング本体部と、このハウジング本体部の内部における前記収容筒部と前記放熱筒部間に配し、かつ前記ＬＥＤ基板部の他方の面に面接触して支持する支持盤部とを一体に備えることを特徴とする請求項１記載のＬＥＤランプ。
【請求項３】
前記放熱筒部は、全周にわたって複数の貫通孔部を形成してなることを特徴とする請求項２記載のＬＥＤランプ。
【請求項４】
前記レンズ部は、先端部を、前記放熱筒部の先端部に固定することを特徴とする請求項２記載のＬＥＤランプ。
【請求項５】
前記レンズ部は、先端部に設けたネジ部（又はネジ孔部）を、前記放熱筒部の先端部に設けたネジ孔部（又はネジ部）に螺合させることを特徴とする請求項２記載のＬＥＤランプ。
【請求項６】
前記ＬＥＤ基板部と、このＬＥＤ基板部の他方の面に面接触する前記支持盤部と、前記収容筒部に収容した前記電子回路ユニットに対して着脱する接続端子と、を一体構成した交換ユニットを備えることを特徴とする請求項５記載のＬＥＤランプ。
【発明の詳細な説明】
【技術分野】
【０００１】
本発明は、口金を有する電球として用いることができるＬＥＤ（発光ダイオード）を発光源とするＬＥＤランプに関する。
【背景技術】
【０００２】
一般に、省電力性，長寿命性及び小型コンパクト性等のメリットを有するＬＥＤを発光源とし、口金を有する電球として用いることができるように構成したＬＥＤランプは、各種実用化されている。【０００３】
従来、この種のＬＥＤランプとしては、特許文献１〜３等で知られており、特許文献１には、ＬＥＤモジュールを駆動する複数の駆動回路部品の一部が収容される空洞を有する放熱部と、駆動回路部品の他の一部が収容される空洞を有する口金部とを備え、駆動回路部品を放熱部の空洞及び口金部の空洞に収容するようにした照明装置が開示され、また、特許文献２には、複数のＬＥＤが面実装されたＬＥＤモジュールと、このＬＥＤモジュールが取り付けられ、複数の放熱フィンからＬＥＤの発生する熱を放熱する放熱部と、ＬＥＤモジュールを覆ってＬＥＤからの放射光を外部に出射するグローブと、放熱部のグローブの反対側に設けられ内部に中空部を有する口金と、この口金の中空部に内蔵されＬＥＤを点灯する点灯回路とを備えたＬＥＤ電球が開示され、さらに、特許文献３には、光源としての固体発光素子と、この固体発光素子を点灯させる点灯回路と、この点灯回路の故障を検知する検知手段と、この検知結果に基づき点灯回路の故障を告知するインジケータとを備え、少なくとも固体発光素子を含む光源ユニットが、少なくとも点灯回路を含む回路ユニットに対して着脱自在であり、装着動作において、回路ユニット側の第１給電端子と光源ユニット側の第１給電端子との電気的接続、及び、回路ユニット側の第２給電端子と光源ユニット側の第２給電端子との電気的接続がなされるランプが開示されている。
【先行技術文献】
【特許文献】
【０００４】
【特許文献１】特開２００９−０４１３０号公報
【特許文献２】特開２０１０−５６０５９号公報
【特許文献３】特開２０１０−６１８５２号公報
【発明の開示】
【発明が解決しようとする課題】
【０００５】
しかし、上述した特許文献１〜３等で開示される従来のＬＥＤランプは、次のような問題点があった。【０００６】
第一に、ＬＥＤは、熱に弱く、温度が上昇した場合には、寿命の低下や光出力の低下を来すため、ＬＥＤランプでは、通常、ＬＥＤからの発熱を放散するためのヒートシンク等を用いた放熱部を設けているが、従来のＬＥＤランプは、ＬＥＤの発光側を透明又は半透明のグローブで覆うという白熱電球に類する従来構造を踏襲して構成しているため、放熱部は、ＬＥＤに対して反発光側に配している。したがって、ＬＥＤランプが壁面等から突出しないように、壁面等の凹部内に配する場合には、放熱部が凹部内に入り、結果的に放熱性を十分に確保できない虞れが生じる。【０００７】
第二に、ＬＥＤを含む発光側を外的に保護する必要がある使用環境の場合、従来のようなグローブによりＬＥＤの発光側を覆う構造では、別途のネットやカバー等のプロテクタを付設する必要がある。この場合、別途の追加部品が必要になるため、部品点数の増加に伴うコストアップ、更には省スペース性の低下を招く。【０００８】
第三に、ＬＥＤランプの更なる小型化を図る場合、ヒートシンク等の放熱部におけるサイズダウンも要求されるが、サイズダウン故に、放熱性を十分に確保できない場合も生じる。この場合、ＬＥＤの寿命低下を招くことから、ＬＥＤを交換可能に構成することも必要となる。特許文献３ではＬＥＤを交換可能な構成について提案されているが、同文献３の場合、ほぼ半分の部品を交換する必要があるなど、コスト面や資源節減の観点からは不十分である。【０００９】
本発明は、このような背景技術に存在する課題を解決したＬＥＤランプの提供を目的とするものである。
【課題を解決するための手段】
【００１０】
本発明は、上述した課題を解決するため、少なくとも、給電用のソケットに対して着脱可能な口金部２，及び発光源となる一又は二以上のＬＥＤ３…を備えるＬＥＤランプ１を構成するに際して、一方の面４ｆに一又は二以上のＬＥＤ３…を実装したＬＥＤ基板部４と、このＬＥＤ基板部４の一方の面４ｆの前方に配したレンズ部５と、伝熱素材により構成するとともに、ＬＥＤ基板部４の他方の面４ｒに面接触し、かつレンズ部５の周りを覆う放熱機構Ｍｒを有するハウジング部６と、一次側を口金部２に接続し、かつ二次側をＬＥＤ基板部４に接続する電子回路ユニット７とを具備することを特徴とする。【００１１】
この場合、発明の好適な態様により、ハウジング部６は、レンズ部５の周面を覆う放熱筒部６ｒ，及びこの放熱筒部６ｒの一端から延設し、かつ端部に口金部２の取付部６ｉｃを有する収容筒部６ｉを一体形成したハウジング本体部６ｍと、このハウジング本体部６ｍの内部における収容筒部６ｉと放熱筒部６ｒ間に配し、かつＬＥＤ基板部４の他方の面４ｒに面接触して支持する支持盤部６ｓとを一体に備えて構成することができる。また、この放熱筒部６ｒには、全周にわたって複数の貫通孔部８…を形成することができる。一方、レンズ部５の先端部５ｆは、放熱筒部６ｒの先端部６ｒｆに固定してもよいし、レンズ部５の先端部５ｆに設けたネジ部（又はネジ孔部）５ｆｎを放熱筒部６ｒの先端部６ｒｆに設けたネジ孔部（又はネジ部）６ｒｎに螺合させてもよい。特に、螺合させた際には、ＬＥＤ基板部４と、このＬＥＤ基板部４の他方の面４ｒに面接触する支持盤部６ｓと、収容筒部６ｉに収容した電子回路ユニット７に対して着脱する接続端子９ｐ，９ｑと、を一体構成した交換ユニット１０を用いることができる。
【発明の効果】
【００１２】
このような構成を有する本発明に係るＬＥＤランプ１によれば、次のような顕著な効果を奏する。【００１３】
（１）  ハウジング部６は、伝熱素材により構成するとともに、ＬＥＤ基板部４の他方の面４ｒに面接触し、かつＬＥＤ基板部４の一方の面４ｆの前方に配したレンズ部５の周りを覆う放熱機構Ｍｒを有するため、ＬＥＤランプ１を壁面等に設置するに際し、壁面等からの突出を避ける観点から、壁面等に設けた凹部内に装着する場合であっても、必要な放熱性を確保でき、ＬＥＤ３…の長寿命性及び光出力の安定性を損なう不具合を回避することができる。【００１４】
（２）  ＬＥＤ基板部４の他方の面４ｒに面接触し、かつレンズ部５の周りを覆う放熱機構Ｍｒを有するハウジング部６を備えるため、ハウジング部６の一部によりＬＥＤ３…を含む発光側を外的に保護することができる。即ち、ハウジング部６は、ＬＥＤ３…を含む発光側の保護機能及びＬＥＤ３…の放熱機能の双方を兼ねることができる。したがって、ＬＥＤ３…を含む発光側を保護する必要のある使用環境であっても、別途のプロテクタ（追加部品）が不要となり、低コスト性及び省スペース性を高めることができる。【００１５】
（３）  好適な態様により、ハウジング部６を、レンズ部５の周面を覆う放熱筒部６ｒ，及びこの放熱筒部６ｒの一端から延設し、かつ端部に口金部２の取付部６ｉｃを有する収容筒部６ｉを一体形成したハウジング本体部６ｍと、このハウジング本体部６ｍの内部における収容筒部６ｉと放熱筒部６ｒ間に配し、かつＬＥＤ基板部４の他方の面４ｒに面接触して支持する支持盤部６ｓとを一体に備えて構成すれば、ハウジング部６の剛性アップに伴う機械的強度の向上、更には耐久性の向上を図れるとともに、単純形態となる二部品の組合わせにより構成できるため、製造性（組立性）の向上を図ることができる。【００１６】
（４）  好適な態様により、放熱筒部６ｒに、全周にわたって複数の貫通孔部８…を形成すれば、実質的なヒートシンクを設けることができるため、放熱性及び通気性を高めることができるとともに、二次的にはデザインの多様化が可能となり、ＬＥＤランプ１の外観性及び商品性を向上させることができる。【００１７】
（５）  好適な態様により、レンズ部５の先端部５ｆに設けたネジ部（又はネジ孔部）５ｆｎを放熱筒部６ｒの先端部６ｒｆに設けたネジ孔部（又はネジ部）６ｒｎに螺合させれば、ＬＥＤ３…に対するレンズ部５の光軸方向の位置を可変できるため、ＬＥＤランプ１の照射特性等を容易に変更することができ、使用環境に対する適応性、更にはＬＥＤランプ１の使い勝手を高めることができる。【００１８】
（６）  好適な態様により、ＬＥＤ基板部４と、このＬＥＤ基板部４の他方の面４ｒに面接触する支持盤部６ｓと、収容筒部６ｉに収容した電子回路ユニット７に対して着脱する接続端子９ｐ，９ｑと、を一体構成した交換ユニット１０を用いれば、ＬＥＤ３…の寿命や故障等により交換する必要が生じた場合であっても、ＬＥＤ３…の交換を容易に行うことができるとともに、交換する部品点数は最少限で足りるため、交換部品の低廉化及び資源節減を図ることができる。
【図面の簡単な説明】
【００１９】
【図１】本発明の好適実施形態に係るＬＥＤランプの一部断面正面図、
【図２】同ＬＥＤランプに備える支持盤部に取付けたＬＥＤ基板部の底面図、
【図３】同ＬＥＤランプに備える主要部品の分解斜視図、
【図４】同ＬＥＤランプの電気回路図、
【図５】同ＬＥＤランプに備えるレンズ部の配光特性図、
【図６】同ＬＥＤランプにおける放熱経路の説明図、
【図７】本発明の変更実施形態に係るＬＥＤランプの一部を示す断面正面図、
【図８】本発明の他の変更実施形態に係るＬＥＤランプ及び抽出したレンズ部と交換ユニットを含む一部断面正面図、
【符号の説明】
【００２０】
１：ＬＥＤランプ，２：口金部，３…：ＬＥＤ，４：ＬＥＤ基板部，４ｆ：ＬＥＤ基板部の一方の面，４ｒ：ＬＥＤ基板部の他方の面，５：レンズ部，５ｆ：レンズ部の先端部，５ｆｎ：ネジ部（又はネジ孔部），６：ハウジング部，６ｒ：放熱筒部，６ｉ：収容筒部，６ｍ：ハウジング本体部，６ｓ：支持盤部，６ｉｃ：取付部，６ｒｆ：放熱筒部の先端部，６ｒｎ：ネジ孔部（又はネジ部），７：電子回路ユニット，８…：貫通孔部，９ｐ，９ｑ：接続端子，１０：交換ユニット，Ｍｒ：放熱機構
【発明を実施するための最良の形態】
【００２１】
次に、本発明に係る最良実施形態を挙げ、図面に基づき詳細に説明する。【００２２】
まず、本実施形態に係るＬＥＤランプ１を構成する主要部品について、図１〜図５を参照して説明する。【００２３】
ＬＥＤランプ１において、６ｍはハウジング本体部であり、アルミニウム等の伝熱素材により一体形成する。ハウジング本体部６ｍは、後述するレンズ部５の周面を覆う放熱筒部６ｒ，及びこの放熱筒部６ｒの一端から延設し、かつ端部に、口金部２を取付ける段差により形成した取付部６ｉｃを有する収容筒部６ｉを備える。放熱筒部６ｒの周面部は、照射方向に漸次大径となるテーパ状に形成するとともに、全周にわたって複数の貫通孔部８…を形成する。例示の貫通孔部８…は軸方向に細長いスリットを用いている。このように、放熱筒部６ｒに、全周にわたって複数の貫通孔部８…を形成すれば、実質的なヒートシンクを設けることができるため、放熱性及び通気性を高めることができるとともに、二次的にはデザインの多様化が可能となり、ＬＥＤランプ１の外観性及び商品性を向上させることができる。一方、収容筒部６ｉの周面部は、軸方向に同径に形成し、内部には、後述する電子回路ユニット７を収容することができる。【００２４】
また、６ｓは支持盤部であり、ハウジング本体部６ｍと同様にアルミニウム等の伝熱素材により一定の厚さを有する円盤状に一体形成する。支持盤部６ｓは、後述するＬＥＤ基板部４の他方の面（裏面）４ｒを面接触により支持する機能を備える。このため、支持盤部６ｓは、ＬＥＤ基板部４を固定するための複数のネジ孔部１１…を有するとともに、接続配線１２ｐ，１２ｑを通す二つの切欠凹部１３ｐ，１３ｑを有する。【００２５】
支持盤部６ｓは、ハウジング本体部６ｍに組付けることにより、一体化したハウジング部６を構成する。このため、ハウジング本体部６ｍの内部における収容筒部６ｉと放熱筒部６ｒ間には、支持盤部６ｓを係合（嵌合）可能な段差による係合凹部６ｍｃを形成する。これにより、支持盤部６ｓは、図１に示すように、放熱筒部６ｒの大径側からハウジング本体部６ｍの内部に収容し、係合凹部６ｍｃに係合（嵌合）させることができる。【００２６】
したがって、ハウジング部６は放熱機構Ｍｒを兼ねる形態となり、基本的には、ＬＥＤ基板部４の他方の面４ｒに面接触し、かつレンズ部５の周りを覆う形態を備えている。このように、ハウジング部６を、レンズ部５の周面を覆う放熱筒部６ｒ，及びこの放熱筒部６ｒの一端から延設し、かつ端部に口金部２の取付部６ｉｃを有する収容筒部６ｉを一体形成したハウジング本体部６ｍと、このハウジング本体部６ｍの内部における収容筒部６ｉと放熱筒部６ｒ間に配し、かつＬＥＤ基板部４の他方の面４ｒに面接触して支持する支持盤部６ｓとを一体に備えて構成すれば、ハウジング部６の剛性アップに伴う機械的強度の向上、更には耐久性の向上を図れるとともに、単純形態となる二部品の組合わせにより構成できるため、製造性（組立性）の向上を図ることができる。【００２７】
一方、２は給電用のソケット（不図示）に対して着脱可能であって、上述した収容筒部６ｉの端部に形成した取付部６ｉｃに取付ける口金部である。なお、例示の口金部２は、ソケットに対していわゆるネジ込式に着脱可能なタイプであるが、この口金部２は、規格等に対応した様々な形態により構成できる。また、口金部２の内部は空洞に形成し、給電用のソケットに接触する口金部２における二つの電極面に接続した二本の接続配線１４ａ，１４ｂは当該空洞を通して収容筒部６ｉ内に導出させる。【００２８】
他方、４はＬＥＤ基板部であり、このＬＥＤ基板部４の一方の面（表面）４ｆには、発光源となるＬＥＤ３…を実装する。例示のＬＥＤ３…は六つであるが、一又は二以上のＬＥＤ３…を適用できるなど、ＬＥＤ３…の数量は任意である。なお、例示のＬＥＤ３…は白色のパワーＬＥＤである。また、ＬＥＤ基板部４の一方の面４ｆには、接続配線１２ｐ，１２ｑをハンダ付等により接続する接続電極１５ｐ，１５ｑを設けるとともに、チップタイプのコンデンサＣｏ及び抵抗Ｒｏを実装する。１６ｐ，１６ｑは支持盤部６ｓの切欠凹部１３ｐ，１３ｑに対応して設けた切欠凹部を示す。一方、７は電子回路ユニットであり、この電子回路ユニット７の一次側には、口金部２から導出された二本の接続配線１４ａ，１４ｂを接続する。そして、二次側には上述した二本の接続配線１２ｐ，１２ｑを接続するとともに、この接続配線１２ｐ，１２ｑはＬＥＤ基板部４の接続電極１５ｐ，１５ｑに接続する。【００２９】
図４は、ＬＥＤ基板部４及び電子回路ユニット７の電気回路図を示す。ＬＥＤ基板部４は直列接続した六つのＬＥＤ３…と、上述したコンデンサＣｏ及び抵抗Ｒｏを接続して構成する。電子回路ユニット７は、口金部２からの交流入力（ＡＣ１００ボルト）を直流出力に変換する電源ユニットであり、抵抗Ｒ１，Ｒ２、コンデンサＣ１，Ｃ２，Ｃ３，Ｃ４、整流ブリッジを構成するダイオードＤ１，Ｄ２，Ｄ３，Ｄ４、ツェナダイオードＤ５、平滑コンデンサＣ５をそれぞれ図示のように接続して構成する。【００３０】
さらに、５はＬＥＤ基板部４の一方の面４ｆの前方に配するレンズ部であり、例示のレンズ部５は、図１に示すように、軸方向に所定の厚さを有し、周面は、光の出射面（前面）５ｅ側の径が漸次大きくなるテーパ状に形成した集光レンズを用いている。この場合、出射面５ｅは、フレネルレンズとして加工し、見掛上は平坦状となる。レンズ部５の後面５ｒは、凹部５ｓを形成し、この凹部５ｓ内に六つのＬＥＤ３…を臨ませることができる。図５に示す曲線Ｋは、例示するレンズ部５の配光特性、即ち、鉛直角〔ｄｅｇ〕に対する光度特性を示す。【００３１】
次に、本実施形態に係るＬＥＤランプ１の組付方法について、図１〜図３を参照して説明する。【００３２】
まず、支持盤部６ｓにＬＥＤ基板部４を取付ける。なお、ＬＥＤ基板部４は、プリント配線基板であり、予め、製造されている。即ち、ＬＥＤ３…、コンデンサＣｏ及び抵抗Ｒｏ等が実装されている。支持盤部６ｓにＬＥＤ基板部４を取付ける際には、支持盤部６ｓにＬＥＤ基板部４の他方の面（裏面）４ｒを面接触により重ね合わせ、ネジ孔部１１…に螺着する取付ネジ２１…を用いて、ＬＥＤ基板部４を支持盤部６ｓに固定する。【００３３】
また、予め製造された電子回路ユニット（電源ユニット）７を、例えば、円筒状の保持部材２２，２３を利用して収容筒部６ｉの内部に収容して固定する。そして、口金部２から導出する二本の接続配線１４ａ，１４ｂを電子回路ユニット７の一次側にハンダ付等により接続するとともに、口金部２を、収容筒部６ｉの取付部６ｉｃに接着剤等により固定する。さらに、電子回路ユニット７の二次側には、それぞれ接続配線１２ｐ，１２ｑを接続する。【００３４】
次いで、ＬＥＤ基板部４を取付けた支持盤部６ｓを、放熱筒部６ｒの大径側からハウジング本体部６ｍの内部に収容し、接着剤等により係合凹部６ｍｃに係合（嵌合）させて固定する。また、一方の接続配線１２ｐは、切欠凹部１３ｐ及び１６ｐを通して、ＬＥＤ基板部４の一方の面４ｆ側に至らせ、接続電極１５ｐにハンダ付等により接続するとともに、他方の接続配線１２ｑは、切欠凹部１３ｑ及び１６ｑを通して、ＬＥＤ基板部４の一方の面４ｆ側に至らせ、接続電極１５ｑにハンダ付等により接続する。【００３５】
この後、レンズ部５を放熱筒部６ｒの内側に収容し、レンズ部５の凹部５ｓをＬＥＤ３…に臨ませるとともに、レンズ部５の先端部５ｆを、放熱筒部６ｒの先端部６ｒｆに接着剤等により固定する。これにより、図１に示すＬＥＤランプ１を得ることができる。【００３６】
次に、本実施形態に係るＬＥＤランプ１の機能（作用）について、図１〜図６を参照して説明する。【００３７】
まず、ＬＥＤランプ１を使用する際には、通常の電球と同様に、ＡＣ１００ボルトが給電されるソケットに、口金部２をそのまま装着すればよい。これにより、ＬＥＤランプ１を発光（点灯）させることができる。この際、ＬＥＤ３…はパワーＬＥＤを使用するため、相応の発熱を伴う。ハウジング部６は、ＬＥＤ基板部４の他方の面４ｒに面接触し、かつＬＥＤ基板部４の一方の面４ｆの前方に配したレンズ部５の周りを覆う形態の放熱機構Ｍｒを有する（兼ねる）ため、この放熱機構Ｍｒにより、ＬＥＤ３…からの発熱は大気中に効率的に放散される。【００３８】
特に、ＬＥＤランプ１を壁面等に設置する際に、壁面等からの突出を避ける観点から、壁面等に設けた凹部内に装着する場合には、必要な放熱性を確保できる。即ち、図６に点線矢印で示すように、ＬＥＤ基板部４で発生した熱Ｈは、まず、面接触する支持盤部６ｓに伝わり、この後、ハウジング本体部６ｍに伝わる。ハウジング本体部６ｍは、放熱筒部６ｒを有するため、熱Ｈは、放熱筒部６ｒに伝わり、大気中に放散される。放熱筒部６ｒは、ＬＥＤ基板部４の一方の面４ｆの前方に配したレンズ部５の周りを覆うように配されるため、図６に示すように、壁面Ｗ等の凹部Ｗｈ内に設置する場合でも通気性及び放熱性が確保される。特に、放熱筒部６ｒは、全周にわたって形成した複数の貫通孔部８…により実質的なヒートシンクとなるため、貫通孔部８…以外の部位は、表面積が大きくなる放熱フィンとして機能し、より放熱性及び通気性が高められる。したがって、ＬＥＤ３…の長寿命性及び光出力の安定性を損なう不具合が回避される。【００３９】
また、本実施形態に係るＬＥＤランプ１は、ＬＥＤ基板部４の他方の面４ｒに面接触し、かつレンズ部５の周りを覆う放熱機構Ｍｒを有するハウジング部６を備えるため、ハウジング部６の一部によりＬＥＤ３…を含む発光側が外的に保護される。即ち、ハウジング部６は、ＬＥＤ３…を含む発光側の保護機能及びＬＥＤ３…の放熱機能の双方を兼ねるため、ＬＥＤ３…を含む発光側を保護する必要のある使用環境であっても、別途のプロテクタ（追加部品）が不要となる。なお、このような本実施形態に係るＬＥＤランプ１の構造は、特に、２〜２０〔Ｗ〕程度の小型のＬＥＤランプに適用して最適である。【００４０】
次に、本発明の変更実施形態に係るＬＥＤランプ１について、図７及び図８を参照して説明する。【００４１】
図７に示す変更実施形態は、レンズ部５の先端部５ｆに設けたネジ部（又はネジ孔部）５ｆｎを放熱筒部６ｒの先端部６ｒｆに設けたネジ孔部（又はネジ部）６ｒｎに螺合させたものであり、レンズ部５の先端部５ｆにおける外周面には、レンズ部５の回し操作を容易にするためのグリップ部３１を設けている。【００４２】
この変更実施形態によれば、レンズ部５を回し操作することにより、ＬＥＤ３…に対するレンズ部５の光軸方向の位置を可変できる。したがって、ＬＥＤランプ１の照射特性等を容易に変更することができ、使用環境に対する適応性、更にはＬＥＤランプ１の使い勝手を高めることができる。図７中、仮想線で示す５ｘは、実線で示すレンズ部５に対して前方に変位した位置におけるレンズ部を示している。その他、図７中、図１と同一部分には同一符号を付し、その構成を明確にするとともに、その詳細な説明は省略する。【００４３】
図８に示す変更実施形態は、ＬＥＤ基板部４と、このＬＥＤ基板部４の他方の面４ｒに面接触する支持盤部６ｓと、収容筒部６ｉに収容した電子回路ユニット７に対して着脱するピンを用いた接続端子９ｐ，９ｑと、を一体構成した交換ユニット１０を用いたものである。この場合、ＬＥＤ基板部４を支持盤部６ｓに固定して一体化するとともに、この際、ＬＥＤ基板部４に、接続端子９ｐ，９ｑの一端を固定し、かつ接続端子９ｐ，９ｑの他端側は支持盤部６ｓに設けた孔部を貫通せさて支持盤部６ｓから突出させる。一方、電子回路ユニット７には、接続端子９ｐ，９ｑが着脱する被接続部（不図示）を設け、接続端子９ｐ，９ｑを着脱可能に構成する。また、交換ユニット１０は、交換可能に構成するため、図７と同様の構成、即ち、レンズ部５の先端部５ｆに設けたネジ部（又はネジ孔部）５ｆｎを放熱筒部６ｒの先端部６ｒｆに設けたネジ孔部（又はネジ部）６ｒｎに螺合させた構成を有している。【００４４】
この変更実施形態によれば、ＬＥＤ３…の寿命や故障等により交換する必要が生じた場合であっても、ＬＥＤ３…の交換を容易に行うことができるとともに、交換する部品点数は最少限で足りるため、交換部品の低廉化及び資源節減を図ることができる。その他、図８中、図１及び図７と同一部分には同一符号を付し、その構成を明確にするとともに、その詳細な説明を省略する。【００４５】
以上、最良実施形態（及び変更実施形態）について詳細に説明したが、本発明は、このような実施形態に限定されるものではなく、細部の構成，形状，素材，数量等において、本発明の要旨を逸脱しない範囲で、任意に変更，追加，削除することができる。【００４６】
例えば、ＬＥＤは単一のＬＥＤであってもよいし、複数のＬＥＤを含む複合タイプであってもよい。また、発色は、照明用の白色をはじめ、装飾用に各種の色を適用できる。さらに、電子回路ユニット７として、電源ユニットを例示したが、口金部２に直流が直接給電される場合には、電子回路ユニット７は不要、又はＬＥＤ３…に対する点灯制御用の電子回路ユニット等と置換できる。一方、ハウジング部６は、ハウジング本体部６ｍに支持盤部６ｓを組合わせて構成した場合を示したが、ハウジング本体部６ｍと支持盤部６ｓを一体形成、即ち、ハウジング部６の全体を一体形成してもよいし、三以上の部品の組合わせにより構成してももちろんよい。また、放熱筒部６ｒには軸方向のスリットによる貫通孔部８…を形成したが、軸方向に対して直角方向（周方向）に沿ったスリットにより形成してもよいし、円孔等により形成してもよい。
【産業上の利用可能性】
【００４７】
本発明に係るＬＥＤランプ１は、一般的な照明用として利用できるのみならず、看板や信号類など、様々な分野におけるランプとして利用できるとともに、様々な大きさの光出力のタイプに利用できる。
【図１】
2011158277.tif 000003
【図２】
2011158277.tif 000004
【図３】
2011158277.tif 000005
【図４】
2011158277.tif 000006
【図５】
2011158277.tif 000007
【図６】
2011158277.tif 000008
【図７】
2011158277.tif 000009
【図８】
2011158277.tif 000010
【国際調査報告】
2011158277.tif 000011
2011158277.tif 000012